(57)【要約】【課題】電子機器と付属品とからなるシステムにおいて、電子機器側の接点と付属品側の接点との安定した接続が得られるシステムを提供すること。【解決手段】電子機器であるカメラ１には付属品である外部電源アダプタ１１が着脱可能であり、カメラ１には、位置決め穴３ｃ，三脚ネジ穴３ｂ，嵌合穴部３ｆを有する電池室３ｄが設けられ、電池室３ｄの上面部に電池接点６と嵌合穴部３ｆの上方に信号接点７が配される。外部電源アダプタ１１には位置決めピン１３，三脚ネジ１２，嵌合穴部３ｆにガタなく嵌入可能な突起部１１ｄを有する起立コネクタ部１１ｃが設けられ、その上面部に電力端子１４，突起部１１ｄに信号端子１５が配される。カメラ１に位置決めピン１３，起立コネクタ部１１ｃを嵌合，挿入して外部電源アダプタ１１を装着すると、電池接点６と電力端子１４と、さらに、信号接点７と信号端子１５とがそれぞれ電気接続される。【選択図】図３
2006106276.tif 000002
【特許請求の範囲】
【請求項１】
電子機器と付属品とからなるシステムにおいて、
電池室を有し、この電池室の内部に、電力を受けるための電池接点と上記付属品からの信号を受けるための電子機器信号接点とを有する上記電子機器と、
上記電子機器本体に取り付け可能で、上記電子機器に電力を供給するため上記電池接点に接続される電力接点と上記電子機器に信号を与えるための付属品信号接点とを有した上記付属品と、
上記電子機器と上記付属品との相対位置を決定するため、上記電子機器と上記付属品それぞれに設けられた第一の嵌合手段と、
上記電子機器の電池接点と上記付属品の電力接点との相対的位置決めを行って上記電子機器の電池接点と上記付属品の電力接点との電気的接続とを行うため、そして、上記電子機器の電子機器信号接点と上記付属品の付属品信号接点との相対的位置決めを行い、上記電子機器の電子機器信号接点と上記付属品の付属品信号接点との電気的接続を行なうため、上記第一の嵌合手段とともに上記電子機器と上記付属品との相対位置を決定する第二の嵌合手段と、
を有することを特徴とする電子機器と付属品とからなるシステム。
【請求項２】
上記第一の嵌合手段は、上記電子機器側に設けられる穴と、上記付属品に設けられ、上記穴に嵌合するピンとからなることを特徴とする請求項１記載の電子機器と付属品とからなるシステム。
【請求項３】
上記第二の嵌合手段は、上記電子機器の電池室内部に設けられた接点接続用穴と、上記穴に嵌合する上記付属品に設けられた付属品信号接点を支持する凸部とからなることを特徴とする請求項１の電子機器と付属品とからなるシステム。
【請求項４】
上記電子機器はカメラであり、上記付属品は外部電源アダプタであることを特徴とする請求項１の電子機器と付属品とからなるシステム。
【請求項５】
付属品を取り付け可能な電子機器において、
電池室と、
上記電池室の内部に、上記付属品に設けられている付属品信号接点からの信号を受けるための電子機器信号接点と、
上記電子機器と上記付属品との相対位置を決定するため、上記付属品に設けられている嵌合手段と嵌合する第一の嵌合手段と、
上記電池室の内部に設けられ、上記第一の嵌合手段とともに上記電子機器と上記付属品との相対位置を決定し、更に上記電子機器信号接点と上記付属品の付属品信号接点との相対位置を決定し、上記電子機器信号接点と上記付属品信号接点との電気的接続を行なうため、上記付属品に設けられている嵌合手段と嵌合する第二の嵌合手段と、
を有することを特徴とする付属品を取り付け可能な電子機器。
【請求項６】
電子機器に取り付け可能な付属品において、
上記電子機器と上記付属品との相対位置を決定するため、上記電子機器に設けられている嵌合手段と嵌合する第一の嵌合手段と、
上記電子機器の電池室の内部に設けられた電子機器信号接点と接続可能な付属品信号接点と、
上記第一の嵌合手段とともに上記電子機器と上記付属品との相対位置を決定し、更に上記電子機器信号接点と上記付属品の付属品信号接点との相対位置を決定し、上記電子機器信号接点と上記付属品信号接点との電気的接続を行なうため、上記電子機器に設けられている嵌合手段と嵌合する第二の嵌合手段と、
を有することを特徴とする電子機器に取り付け可能な付属品。
【発明の詳細な説明】
【技術分野】
【０００１】
本発明は、電子機器とこの電子機器に取り付け可能な付属品とからなるシステムに関する。
【背景技術】
【０００２】
従来、電子機器とこの電子機器に取り付け可能な付属品とからなるシステムとして、例えば、電子機器であるカメラと該カメラに着脱可能な付属品である外部電源アダプタとからなるシステムに関して、特許文献１に開示されたものがある。このシステムの外部電源アダプタは、電池が収納され、カメラ側との接続可能な電源電極部とレリーズ信号用等の信号接点とを有する起立コネクタ部を備えている。そして、上記外部電源アダプタは、上記起立コネクタ部をカメラ電池収納室に挿入し、かつ、三脚ネジ部にてカメラの底面側に取り付けられる。
【特許文献１】特許文献１は、特開２０００−２３５２２１号公報である。
【発明の開示】
【発明が解決しようとする課題】
【０００３】
しかし、上述した特許文献１に開示されたシステムの外部電源アダプタにおいては、起立コネクタ部が嵌合ガタのある状態で一方に寄せられた状態でカメラ側電池室に挿入され、信号接点がカメラ側と接続される。従って、該信号接点の相対的位置決めが必ずしも精度のよい状態で行われず、カメラ側信号接点に対する接続が不安定となるおそれがある。
【０００４】
本発明は、上述の問題を解決するためになされたものであり、電子機器と付属品とからなるシステムにおいて、電子機器側の接点と付属品側の接点との安定した接続が得られるシステム、または、上記電子機器、または、上記付属品を提供することを目的とする。
【課題を解決するための手段】
【０００５】
本発明の請求項１に記載の電子機器と付属品とからなるシステムは、電子機器と付属品とからなるシステムにおいて、電池室を有し、この電池室の内部に、電力を受けるための電池接点と上記付属品からの信号を受けるための電子機器信号接点とを有する上記電子機器と、上記電子機器本体に取り付け可能で、上記電子機器に電力を供給するため上記電池接点に接続される電力接点と上記電子機器に信号を与えるための付属品信号接点とを有した上記付属品と、上記電子機器と上記付属品との相対位置を決定するため、上記電子機器と上記付属品それぞれに設けられた第一の嵌合手段と、上記電子機器の電池接点と上記付属品の電力接点との相対的位置決めを行って上記電子機器の電池接点と上記付属品の電力接点との電気的接続とを行うため、そして、上記電子機器の電子機器信号接点と上記付属品の付属品信号接点との相対的位置決めを行い、上記電子機器の電子機器信号接点と上記付属品の付属品信号接点との電気的接続を行なうため、上記第一の嵌合手段とともに上記電子機器と上記付属品との相対位置を決定する第二の嵌合手段とを有する。
【０００６】
本発明の請求項２に記載の電子機器と付属品とからなるシステムは、請求項１に記載の電子機器と付属品とからなるシステムにおいて、上記第一の嵌合手段は、上記電子機器側に設けられる穴と、上記付属品に設けられ、上記穴に嵌合するピンとからなる。
【０００７】
本発明の請求項３記載の電子機器と付属品とからなるシステムは、請求項１に記載の電子機器と付属品とからなるシステムにおいて、上記第二の嵌合手段は、上記電子機器の電池室内部に設けられた接点接続用穴とこの穴に嵌合する上記付属品に設けられた付属品信号接点を支持する凸部とからなる。
【０００８】
本発明の請求項４記載の電子機器と付属品とからなるシステムは、請求項１に記載の電子機器と付属品とからなるシステムにおいて、上記電子機器はカメラであり、上記付属品は外部電源アダプタである。
【０００９】
本発明の請求項５に記載の付属品を取り付け可能な電子機器は、付属品を取り付け可能な電子機器において、電池室と、上記電池室の内部に、上記付属品に設けられている付属品信号接点からの信号を受けるための電子機器信号接点と、上記電子機器と上記付属品との相対位置を決定するため、上記付属品に設けられている嵌合手段と嵌合する第一の嵌合手段と、上記電池室の内部に設けられ、上記第一の嵌合手段とともに上記電子機器と上記付属品との相対位置を決定し、更に上記電子機器信号接点と上記付属品の付属品信号接点との相対位置を決定し、上記電子機器信号接点と上記付属品信号接点との電気的接続を行なうため、上記付属品に設けられている嵌合手段と嵌合する第二の嵌合手段とを有する。
【００１０】
本発明の請求項６に記載の電子機器に取り付け可能な付属品は、電子機器に取り付け可能な付属品において、上記電子機器と上記付属品との相対位置を決定するため、上記電子機器に設けられている嵌合手段と嵌合する第一の嵌合手段と、上記電子機器の電池室の内部に設けられた電子機器信号接点と接続可能な付属品信号接点と、上記第一の嵌合手段とともに上記電子機器と上記付属品との相対位置を決定し、更に上記電子機器信号接点と上記付属品の付属品信号接点との相対位置を決定し、上記電子機器信号接点と上記付属品信号接点との電気的接続を行なうため、上記電子機器に設けられている嵌合手段と嵌合する第二の嵌合手段とを有する。
【発明の効果】
【００１１】
本発明によれば、電子機器と付属品とからなるシステムにおいて、電子機器側の接点と付属品側の接点との安定した接続が得られるシステム、または、上記電子機器、または、上記付属品を提供することができる。
【発明を実施するための最良の形態】
【００１２】
以下、図を用いて本発明の実施形態について説明する。  
図１は、本発明の一実施形態としての電子機器であるカメラの一部を断面で示す斜視図である。図２は、上記カメラに着脱可能な付属品である外部電源アダプタの斜視図である。図３は、上記カメラに上記外部電源アダプタを取り付けた状態を示す部分断面図である。また、図４は、図１のＡ−Ａ断面図に相当する図であって、上記一実施形態のカメラの第二嵌合手段に対する変形例の嵌合部の断面図である。なお、以下の説明において、撮影レンズ光軸をＯとし、光軸Ｏと平行な方向をＺ方向とする。Ｚ方向に対して垂直な水平方向（左右）をＸ方向とし、Ｚ方向に対して垂直な上下方向をＹ方向とする。
【００１３】
本実施形態のカメラ１と外部電源アダプタ１１とは、本発明の電子機器と付属品とからなるシステムを構成するものである。
【００１４】
カメラ１は、図１に示すようにカメラボディ３の前面部に配され、交換レンズを着脱可能とするためのレンズマウント４を有し、カメラボディ３の内部には、ＸＺ平面に沿った底面部３ａ上の電池挿入開口部３ｅを備え、電池（バッテリ）装填可能な電池室３ｄが配されている。電池挿入開口部３ｅには着脱可能な電池蓋８が取り付けられる。電池室３ｄの上面部にはＸＺ平面と平行な電気基板５が配される。カメラボディ３の底面部３ａには、三脚ネジ穴３ｂと該三脚ネジ穴３ｂの近傍に第一の嵌合手段（第一の位置決め手段）である位置決め穴３ｃとが配される。さらに、電池室上方の右側寄りの部分に第二の嵌合手段（第二の位置決め手段）である接点接続用の嵌合穴部３ｆが設けられる。なお、嵌合穴部３ｆの上方は開口している。
【００１５】
電池室３ｄ内の嵌合穴部３ｆの右側上面部には、装填された電池の電力を受けるための弾性部材からなり、バネ性を有する複数の電池接点６が配される。さらに、電気基板５の下面部であって電池室３ｄの嵌合穴部３ｆの開口部と対向する位置には、電子機器信号接点である複数の信号接点７が配される。電池接点６および信号接点７の配設位置は、嵌合穴部３ｆの位置に対して外部電源アダプタ１１の装着時、後述する電力端子１４および信号端子１５と接続できるようにＸ，Ｚ方向に位置決めされている。
【００１６】
なお、電池接点６には、電池室３ｄに装填された電池の電極、または、後述する外部電源アダプタ１１に装填された電池の電力接点である電力端子１４（図３）と接続可能である。また、信号接点７には、外部電源アダプタ１１側からレリーズ信号等の信号を受けるために後述する外部電源アダプタ１１側の信号端子１５（図３）と接続可能である。
【００１７】
また、電池室３ｄには上述のように電池が装填可能であるが、電池室３ｄの大きさは、該電池の外形寸法がばらつきを有することから該電池の呼び寸法に対してＸ，Ｚ方向に所定の隙間を有する寸法である。
【００１８】
外部電源アダプタ１１は、外部電源としての電池を装填した状態でカメラ１のカメラボディ３に装着が可能な電源アダプタであり、図２に示すようにカメラ底面部３ａと当接可能なＸＺ平面に沿ったカメラ当接面１１ｅを有し、カメラ当接面１１ｅ上には三脚ネジ挿入用遊嵌穴１１ａと、カメラ側位置決め穴３ｃにガタなく嵌入する第一の嵌合手段（第一の位置決め手段）である位置決めピン１３と、カメラ当接面１１ｅの左寄り部にＺ方向に起立する起立コネクタ部１１ｃとが配され、左端面部にレリーズ釦１６が配されている。
【００１９】
三脚ネジ挿入用遊嵌穴１１ａには、カメラ側三脚ネジ穴３ｂに螺合可能な三脚ネジ１２がガタのある状態で挿入される。三脚ネジ１２には回転操作つまみ部１２ａが設けられており、該つまみ部１２ａは、外部電源アダプタ１１の側面に設けられる開口部１１ｂより外方に露呈し、三脚ネジ１２が回転操作できるようになっている。
【００２０】
起立コネクタ部１１ｃは、ある所定のガタある状態で電池室３ｄにＹ方向に挿入可能とする。起立コネクタ部１１ｃの上面部には、カメラ装着状態で電池接点６と接続し、電力供給する複数の電力端子１４が配され、さらに、上面部から上方に突出する凸部からなる第二の嵌合手段（第二の位置決め手段）の突起部１１ｄが設けられる。
【００２１】
突起部１１ｄは、カメラ側電池室３ｄ内の嵌合穴部３ｆにＸ，Ｚ方向でガタなく嵌合する突起部であり、その上面部には、バネにより上方に付勢される出没自在の付属品信号接点である複数の信号端子１５が配される。信号端子１５は、レリーズ釦１６によって操作されるレリーズスイッチ等にリード線にて接続されており、突起部１１ｄが嵌合穴部３ｆに嵌入した状態でカメラ側信号接点７と接続可能な位置に配置されている。
【００２２】
電力端子１４には、外部電源アダプタ１１に装填された電池の電極部がリード線にて接続されている。電力端子１４は、突起部１１ｄが嵌合穴部３ｆに嵌入した状態でカメラ側電池接点６と接続可能な位置に配置されている。
【００２３】
上述した構成を有するシステムにおいて、カメラ１のカメラボディ３に外部電源アダプタ１１を装着するには、カメラボディ３側の電池蓋８を取り外し、カメラボディ３側の電池を抜き取った状態とし、電池装填状態の外部電源アダプタ１１をカメラボディ３の底面部３ａに取り付ける。すなわち、図３に示すように外部電源アダプタ１１の起立コネクタ部１１ｃを電池室３ｄに挿入し、突起部１１ｄを嵌合穴部３ｆにガタなく嵌入させる。同時に外部電源アダプタ１１の位置決めピン１３を位置決め穴３ｃに嵌入させて、外部電源アダプタ１１をカメラボディ３に取り付け状態とする。そして、三脚ネジ１２を三脚ネジ穴３ｂに螺着し、固定すると外部電源アダプタ１１は、カメラ装着状態となる。
【００２４】
上述したカメラ１に外部電源アダプタ１１が装着された状態では、起立コネクタ部１１ｃの突起部１１ｄが電池室３ｄの嵌合穴部３ｆにガタなく嵌入することから嵌合穴部３ｆに対して所定の精度で位置するカメラ側信号接点７と、突起部１１ｄに対して所定の精度で位置する外部電源アダプタ側信号端子とが相対的にＸ，Ｚ平面上で位置ずれの極めて少ない状態で接触し、安定した電気的接続が得られる。同時にカメラ側電池接点６は、嵌合穴部３ｆに対して相対的に所定の精度で位置し、一方、外部電源アダプタ側電力端子１４も突起部１１ｄに対して所定の精度で位置することからカメラ側電池接点６と外部電源アダプタ側電力端子１４とも同様にＸ，Ｚ方向上で位置ずれの極めて少ない状態で接触し、安定した電気的接続が得られる。
【００２５】
上述した実施形態のシステムの第二嵌合手段においては、外部電源アダプタ１１の突起部１１ｄは、カメラ側電池室３ｄの嵌合穴部３ｆに対してＸ，Ｚ方向でともにガタなく嵌合する形状を有するものとした。しかし、カメラボディ３や外部電源アダプタ１１の外形の寸法精度、あるいは、その剛性等から上記嵌合部でのガタのない嵌入が困難である場合、その変形例として外部電源アダプタ１１の突起部１１ｄの外形寸法を、対向する接点のずれの許容範囲内で嵌合穴部３ｆに対してＸ方向のガタのある寸法としたものを採用することが可能である（図４）。これによって上記各接点部の安定した電気接続を得ることができる。
【産業上の利用可能性】
【００２６】
本発明による電子機器と付属品とからなるシステムは、電子機器側の接点と付属品側の接点との安定した接続が得られるシステムとして利用することができる。
【図面の簡単な説明】
【００２７】
【図１】本発明の一実施形態としての電子機器であるカメラの一部を断面で示す斜視図である。
【図２】図１のカメラに着脱可能な付属品である外部電源アダプタの斜視図である。
【図３】図１のカメラに図２の外部電源アダプタの取り付け状態を示す部分断面図である。
【図４】図１のＡ−Ａ断面図に相当する図であって、図１のカメラの第二嵌合手段に対する変形例の嵌合部の断面図である。
【符号の説明】
【００２８】
１  …カメラ（電子機器）
３ｃ…位置決め穴（第一の嵌合手段）
３ｄ…電池室
３ｆ…嵌合穴部（第二の嵌合手段）
６  …電池接点
７  …信号接点（電子機器信号接点）
１１  …外部電源アダプタ（付属品）
１１ｄ…突起部（第二の嵌合手段）
１３  …位置決めピン（第一の嵌合手段）
１４  …電力端子（電力接点）
１５  …信号端子（付属品信号接点）
代理人      弁理士    伊  藤    進
【図１】
2006106276.tif 000003
【図２】
2006106276.tif 000004
【図３】
2006106276.tif 000005
【図４】
2006106276.tif 000006